(57)【要約】【課題】認識された１つの音声に基づいて複数の機器を操作する。【解決手段】本実施形態の遠隔操作装置は、音声認識手段と操作信号送信手段を備える。音声認識手段は、音声を認識する。操作信号送信手段は、音声認識手段により認識された１つの音声に基づいて、複数の機器にそれぞれ操作信号を送信する。【選択図】図１
2014045258.tif 000002
【特許請求の範囲】
【請求項１】
音声を認識する音声認識手段と、
前記音声認識手段により認識された１つの音声に基づいて、複数の機器にそれぞれ操作信号を送信する操作信号送信手段と、
を備える遠隔操作装置。
【請求項２】
前記音声認識手段により認識された１つの音声に基づいて、ユーザの生活シーンを推定する生活シーン推定手段と、
前記生活シーン推定手段が推定した生活シーンに応じた前記機器を選択する機器選択手段と、
をさらに備え、
前記操作信号送信手段は、前記機器選択手段が選択した前記機器にそれぞれ操作信号を送信する請求項１に記載の遠隔操作装置。
【請求項３】
前記操作信号送信手段は、各機器に対し、それぞれ周波数が異なる操作信号を送信する請求項１又は２に記載の遠隔操作装置。
【請求項４】
前記操作信号送信手段は、各機器に対し、それぞれ異なる動作をするための操作信号を送信する請求項１から３の何れか１項に記載の遠隔操作装置。
【請求項５】
前記操作信号送信手段は、前記音声認識手段により認識された１つの音声が省エネルギー運転を示す音声である場合には、各機器に対し、それぞれ省エネルギー運転に移行するための操作信号を送信する請求項１から４の何れか１項に記載の遠隔操作装置。
【発明の詳細な説明】
【技術分野】
【０００１】
本発明の実施形態は、遠隔操作装置に関する。
【背景技術】
【０００２】
従来、空気調和機などの家電機器は、遠隔操作装置との間の通信によって運転が操作されている。例えば空気調和機の電源のオンまたはオフ、設定温度及び設定風量の変更などは、ユーザが操作する遠隔操作装置によって入力される。近年では、このような遠隔操作装置による機器の操作をより容易にするために、例えば特許文献１に開示されているように、音声認識を利用した遠隔操作装置が提案されており、さらに、このような音声認識型の遠隔操作装置を用いて複数の機器を操作する技術が考えられている。
しかしながら、特許文献１に開示されている技術は、機器を操作するためのリモコンコードを予め記憶しておき、認識された音声に対応するリモコンコードを選択して機器を操作する構成である。即ち、認識された１つの音声に対応して選択されるリモコンコードは１つであり、従って、１つの音声に基づいて１つの機器しか操作することができない。
【先行技術文献】
【特許文献】
【０００３】
【特許文献１】特開平５−２６８６７６号公報
【発明の概要】
【発明が解決しようとする課題】
【０００４】
本実施形態は、認識された１つの音声に基づいて複数の機器を操作することができる遠隔操作装置を提供することにある。
【課題を解決するための手段】
【０００５】
本実施形態の遠隔操作装置は、音声認識手段と、操作信号送信手段と、を備える。音声認識手段は、音声を認識する。操作信号送信手段は、音声認識手段により認識された１つの音声に基づいて、複数の機器にそれぞれ操作信号を送信する。
【図面の簡単な説明】
【０００６】
【図１】一実施形態による遠隔操作装置及び当該遠隔操作装置により遠隔操作される複数の機器を示す模式図
【図２】一実施形態による遠隔操作装置の外観を示す概略斜視図
【図３】一実施形態による遠隔操作装置の内部構成を概略的に示すブロック図
【図４】一実施形態による動作指令データベースの一例を概略的に示す図
【図５】一実施形態による遠隔操作装置の処理の流れを示す概略図
【図６】一実施形態による起床シーンにおける各機器の動作の一例を概略的に示す図
【図７】一実施形態による就寝シーンにおける各機器の動作の一例を概略的に示す図
【図８】一実施形態による日中在宅シーンにおける各機器の動作の一例を概略的に示す図
【発明を実施するための形態】
【０００７】
以下、一実施形態による遠隔操作装置について図面に基づいて説明する。図１に示すように、遠隔操作装置であるリモコン１０は、複数の機器１１、例えばエアコン１１１、テレビ１１２、照明機器１１３、自動掃除ロボット１１４などの各種の家電機器と相互に通信可能に構成されている。リモコン１０は、これら複数の機器１１にそれぞれ操作信号を送信する。各機器１１は、それぞれ、受信した操作信号に基づいて動作する。このリモコン１０は、例えばテーブル１２などの卓上に据え置きされた状態で用いられる。
【０００８】
図２に示すように、リモコン１０のケーシング２０は、重力方向において上方から上ケース２１、サイドピース２２、図示しない電池蓋を有する下ケース２３に分割されている。これら上ケース２１、サイドピース２２、下ケース２３は、相互に嵌合することにより一体のケーシング２０を構成している。具体的には、上ケース２１は、サイドピース２２を挟み込んだ状態で下ケース２３と一体となるように嵌合する。また、図示しない電池蓋は、下ケース２３の内部に嵌合する。本実施形態の場合、下ケース２３は、サイドピース２２の下面内側に嵌合されている。
【０００９】
次に、リモコン１０の内部構成について図３を参照しながら説明する。
図３に示すように、リモコン１０は、制御ユニット３０、マイク３１、スピーカ３２、メカニカルスイッチ３３、送信素子３４、受信素子３５、記憶部３６などを備えている。制御ユニット３０は、図示しないＣＰＵ、ＲＯＭ及びＲＡＭを有するマイクロコンピュータで構成されており、ＲＯＭに記憶されているコンピュータプログラムに基づいてリモコン１０の全体を制御する。また、制御ユニット３０は、音声認識部６１、生活シーン推定処理部６２、機器選択処理部６３及び操作信号送信処理部６４を構成している。これら音声認識部６１、生活シーン推定処理部６２、機器選択処理部６３及び操作信号送信処理部６４は、制御ユニット３０と一体の集積回路としてハードウェア的に実現してもよく、或いは、ＲＯＭに記憶されたコンピュータプログラムを実行することによりソフトウェア的に実現してもよい。
【００１０】
また、リモコン１０は、電池４１または商用電源から供給された電力によって電気的に駆動される。商用電源によりリモコン１０を駆動する場合、商用電源は、例えばＡＣアダプタ４２などを経由して交流から所定の電圧の直流へ変換されてリモコン１０へ供給される。また、リモコン１０は、電源回路部４３を有している。電池４１または商用電源から供給された電力は、電源回路部４３を経由して制御ユニット３０に供給される。
マイク３１は、リモコン１０の外部からの音声を取得する。マイク３１は、ケーシング２０に設けられている図示しないマイク穴を通して音声を取得する。スピーカ３２は、音声合成部３２１から入力される電気信号に基づいて音声を発する。なお、音声合成部３２１は、記憶部３６に記憶されている音声データに基づいて音声を合成する。また、スピーカ３２は、ケーシング２０に設けられている図示しないスピーカ穴を通して音声を外部に発する。メカニカルスイッチ３３は、ユーザからの機械的な入力を受け付ける。
【００１１】
送信素子３４及び受信素子３５は、一体の送受信ユニット３７を構成している。送受信ユニット３７は、例えば赤外線を照射する赤外線ＬＥＤからなる送信素子３４と、赤外線を受光するフォトダイオードからなる受信素子３５とから構成されている。送受信ユニット３７を構成する送信素子３４は、赤外線を照射することにより、各機器１１へそれぞれ操作信号を出力する。また、受信素子３５は、赤外線を受光することにより、各機器１１から出力された信号を受信する。これにより、リモコン１０と各機器１１とは、赤外線による無線で通信する。なお、図３には、説明の便宜上、１つの機器１１のみを示す。また、このような赤外線通信は一例であり、例えば無線ＬＡＮ或いはＢｌｕｅｔｏｏｔｈ（登録商標）など、赤外線通信に限らずその他の方法で無線通信してもよい。
【００１２】
記憶部３６は、例えばフラッシュメモリなどの書き換え可能な記憶媒体を有しており、各種の情報やデータを記憶する。この記憶部３６は、ＲＯＭ及びＲＡＭと共用してもよい。この記憶部３６には、例えば図４に示す動作指令データベースＤＢが格納されている。この動作指令データベースＤＢには、認識される音声に対応付けて、生活シーンを示すデータ及び各機器１１に出力する動作指令の内容を示すデータが格納されている。
【００１３】
この場合、例えば「おはよう」という音声に対応付けて、生活シーンとして「起床」が格納され、さらに、エアコン１１１に出力する動作指令として「オン」、テレビ１１２に出力する動作指令として「オン」、照明機器１１３に出力する動作指令として「オン」が格納されている。即ち、この場合、複数の機器１１のうちエアコン１１１、テレビ１１２、照明機器１１３が操作対象として選択されており、その他の機器、例えば自動掃除ロボット１１４が操作対象として選択されておらず、動作指令が設定されていない状態となっている。そして、選択された各機器１１の動作内容は何れも「オン」であり、同一の内容となっている。
【００１４】
また、例えば「おやすみ」という音声に対応付けて、生活シーンとして「就寝」が格納され、さらに、エアコン１１１に出力する動作指令として「オフ」、テレビ１１２に出力する動作指令として「オフ」、照明機器１１３に出力する動作指令として「オフ」が格納されている。なお、この場合、エアコン１１１の動作内容としては、「オフ」、「切タイマーオン」、「入タイマーオン」のうち何れか１つを選択して設定することができる。また、照明機器１１３の動作内容としては、「オフ」、「暗照明オン」、「常夜灯オン」のうち何れか１つを選択して設定することができる。このように、各機器１１は、それぞれ特有の動作を実行し得るものであるから、各機器１１に対し、それぞれ異なる動作をするための動作指令を設定することができ、各機器１１の動作内容をそれぞれ個別に設定することも可能である。
【００１５】
また、例えば「行ってきます」という音声に対応付けて、生活シーンとして「外出」が格納され、さらに、エアコン１１１に出力する動作指令として「オフ」、テレビ１１２に出力する動作指令として「オフ」、照明機器１１３に出力する動作指令として「オフ」、自動掃除ロボット１１４に出力する動作指令として「オン」が格納されている。なお、この場合、自動掃除ロボット１１４の動作内容としては、「オン」、「オフ」のうち何れか１つを選択して設定することができる。
【００１６】
また、例えば「ただいま」という音声に対応付けて、生活シーンとして「帰宅」が格納され、さらに、エアコン１１１に出力する動作指令として「オン」、テレビ１１２に出力する動作指令として「オン」、照明機器１１３に出力する動作指令として「オン」が格納されている。即ち、この場合、複数の機器１１のうちエアコン１１１、テレビ１１２、照明機器１１３が操作対象として選択されており、その他の機器、例えば自動掃除ロボット１１４が操作対象として選択されておらず、動作指令が設定されていない状態となっている。
【００１７】
また、例えば「省エネ」という音声に対応付けて、生活シーンとして「日中に在宅」が格納され、さらに、リモコン１０と通信可能な全ての機器１１に出力する動作指令として「省エネモードオン」が格納されている。なお、リモコン１０と通信可能な全ての機器１１ではなく一部の機器１１、例えば電力消費量が大きいエアコン１１１に出力する動作指令を「省エネモードオン」に設定し、その他の機器に出力する動作指令を「省エネモードオフ」に設定することも可能である。また、省エネルギー運転を示す音声としては、「省エネ」に限らず、例えば「節約」、「エコ」など、その他の音声で設定してもよい。
【００１８】
なお、以上に示した動作指令データベースＤＢは一例である。従って、動作指令データベースＤＢには、種々の音声に対応付けて、種々の生活シーンを任意に設定することができ、また、種々の音声及び生活シーンに対応付けて、各機器１１に出力する動作指令を任意に設定することができる。
【００１９】
音声認識部６１は、音声認識手段に相当するものであり、マイク３１で取得したユーザが発した音声を認識する。この音声認識部６１は、記憶部３６に記憶されている音声認識用データベースから、マイク３１で取得した音声に合致にする音声データを抽出することで音声を認識する。なお、音声認識部６１は、ユーザの声だけでなく、例えば拍手音なども認識することができる。
【００２０】
生活シーン推定処理部６２は、生活シーン推定手段に相当するものであり、音声認識部６１により認識された１つの音声に基づいて動作指令データベースＤＢを参照することにより、ユーザの生活シーンを推定する。この場合、例えば音声認識部６１により「おはよう」という１つの音声が認識された場合、生活シーン推定処理部６２は、その１つの音声に基づいて、ユーザの生活シーンが「起床」であると推定する。
【００２１】
また、例えば音声認識部６１により「おやすみ」という１つの音声が認識された場合、生活シーン推定処理部６２は、その１つの音声に基づいて、ユーザの生活シーンが「就寝」であると推定する。また、例えば音声認識部６１により「行ってきます」という１つの音声が認識された場合、生活シーン推定処理部６２は、その１つの音声に基づいて、ユーザの生活シーンが「外出」であると推定する。
【００２２】
また、例えば音声認識部６１により「ただいま」という１つの音声が認識された場合、生活シーン推定処理部６２は、その１つの音声に基づいて、ユーザの生活シーンが「帰宅」であると推定する。また、例えば音声認識部６１により「省エネ」という１つの音声が認識された場合、生活シーン推定処理部６２は、その１つの音声に基づいて、ユーザの生活シーンが「日中に在宅」であると推定する。なお、ここに示した生活シーンは一例であり、種々の音声に対応付けて種々の生活シーンを任意に設定することができる。
【００２３】
機器選択処理部６３は、機器選択手段に相当するものであり、生活シーン推定処理部６２が推定した生活シーンに応じた機器を選択する。この場合、例えば生活シーン推定処理部６２が推定した生活シーンが「起床」である場合、機器選択処理部６３は、その「起床」シーンに応じた機器として、エアコン１１１、テレビ１１２、照明機器１１３を選択する。即ち、機器選択処理部６３は、動作指令データベースＤＢにおいて、認識音声「おはよう」及び生活シーン「起床」に対応付けて動作指令が格納されている機器１１を選択する。
【００２４】
また、例えば生活シーン推定処理部６２が推定した生活シーンが「就寝」である場合、機器選択処理部６３は、その「就寝」シーンに応じた機器として、エアコン１１１、テレビ１１２、照明機器１１３を選択する。即ち、機器選択処理部６３は、動作指令データベースＤＢにおいて、認識音声「おやすみ」及び生活シーン「就寝」に対応付けて動作指令が格納されている機器１１を選択する。また、例えば生活シーン推定処理部６２が推定した生活シーンが「外出」である場合、機器選択処理部６３は、その「外出」シーンに応じた機器として、エアコン１１１、テレビ１１２、照明機器１１３、自動掃除ロボット１１４を選択する。即ち、機器選択処理部６３は、動作指令データベースＤＢにおいて、認識音声「行ってきます」及び生活シーン「外出」に対応付けて動作指令が格納されている機器１１を選択する。
【００２５】
また、例えば生活シーン推定処理部６２が推定した生活シーンが「帰宅」である場合、機器選択処理部６３は、その「帰宅」シーンに応じた機器として、エアコン１１１、テレビ１１２、照明機器１１３を選択する。即ち、機器選択処理部６３は、動作指令データベースＤＢにおいて、認識音声「ただいま」及び生活シーン「帰宅」に対応付けて動作指令が格納されている機器１１を選択する。また、例えば生活シーン推定処理部６２が推定した生活シーンが「日中に在宅」である場合、機器選択処理部６３は、その「日中に在宅」シーンに応じた機器として、リモコン１０と通信可能な全ての機器１１を選択する。即ち、機器選択処理部６３は、動作指令データベースＤＢに動作指令が格納されている全ての機器１１を選択する。なお、以上に示した機器１１の選択パターンは一例であり、種々の生活シーンに対応付けて機器１１の選択パターンを任意に設定することができる。また、機器選択処理部６３は、動作指令データベースＤＢに基づいて機器１１を選択することができ、或いは、動作指令データベースＤＢに基づかず当該機器選択処理部６３により独自に機器１１を選択することも可能である。
【００２６】
操作信号送信処理部６４は、操作信号送信手段に相当するものであり、音声認識部６１で認識された１つの音声に基づいて、記憶部３６に格納されている動作指令データベースＤＢから該当する動作指令を抽出し、その動作指令を含む操作信号を生成する。そして、操作信号送信処理部６４は、生成した操作信号を、送受信ユニット３７の送信素子３４を介して複数の機器１１にそれぞれ送信する。この場合、操作信号送信処理部６４は、リモコン１０と通信可能な全ての機器１１にそれぞれ操作信号を送信するのではなく、機器選択処理部６３が選択した各機器１１に対応する動作指令を動作指令データベースＤＢから抽出して操作信号を生成し、それら操作信号を機器選択処理部６３が選択した各機器１１にそれぞれ送信するように設定されている。
【００２７】
例えば、音声認識部６１で認識された１つの音声が「おはよう」である場合には、操作信号送信処理部６４は、エアコン１１１に送信する操作信号として「オン」を含む操作信号を生成して当該エアコン１１１に送信し、テレビ１１２に送信する操作信号として「オン」を含む操作信号を生成して当該テレビ１１２に送信し、照明機器１１３に送信する操作信号として「オン」を含む操作信号を生成して当該照明機器１１３に送信する。
【００２８】
また、音声認識部６１で認識された１つの音声が「おやすみ」である場合には、操作信号送信処理部６４は、エアコン１１１に送信する操作信号として「オフ」を含む操作信号を生成して当該エアコン１１１に送信し、テレビ１１２に送信する操作信号として「オフ」を含む操作信号を生成して当該テレビ１１２に送信し、照明機器１１３に送信する操作信号として「オフ」を含む操作信号を生成して当該照明機器１１３に送信する。
【００２９】
また、音声認識部６１で認識された１つの音声が「行ってきます」である場合には、操作信号送信処理部６４は、エアコン１１１に送信する操作信号として「オフ」を含む操作信号を生成して当該エアコン１１１に送信し、テレビ１１２に送信する操作信号として「オフ」を含む操作信号を生成して当該テレビ１１２に送信し、照明機器１１３に送信する操作信号として「オフ」を含む操作信号を生成して当該照明機器１１３に送信し、自動掃除ロボット１１４に送信する操作信号として「オン」を含む操作信号を生成して当該自動掃除ロボット１１４に送信する。
【００３０】
また、音声認識部６１で認識された１つの音声が「ただいま」である場合には、操作信号送信処理部６４は、エアコン１１１に送信する操作信号として「オン」を含む操作信号を生成して当該エアコン１１１に送信し、テレビ１１２に送信する操作信号として「オン」を含む操作信号を生成して当該テレビ１１２に送信し、照明機器１１３に送信する操作信号として「オン」を含む操作信号を生成して当該照明機器１１３に送信する。
【００３１】
また、音声認識部６１で認識された１つの音声が「省エネ」である場合には、操作信号送信処理部６４は、リモコン１０と通信可能な全ての機器１１に送信する操作信号として「省エネモードオン」を含む操作信号を生成して各機器１１にそれぞれ送信する。
なお、操作信号送信処理部６４は、各機器１１に対し、それぞれ周波数が異なる操作信号を送信するように設定されている。即ち、操作信号送信処理部６４は、各機器１１に送信する操作信号の送信周波数を相互に異ならせるように設定されている。
【００３２】
また、操作信号送信処理部６４は、機器選択処理部６３により機器１１が選択されたか否かに関わらず、リモコン１０と通信可能な全ての機器１１にそれぞれ操作信号を送信するように設定することも可能である。また、操作信号送信処理部６４は、動作指令データベースＤＢから抽出した動作指令を含む操作信号ではなく、操作信号送信処理部６４にて新たに生成した操作信号を各機器１１に送信するように設定することも可能である。また、操作信号送信処理部６４は、機器選択処理部６３により選択された機器１１以外の機器１１にも操作信号を送信するように設定することも可能である。また、リモコン１０と通信可能な機器１１が存在しているにも関わらず、その機器１１に対応する動作指令が動作指令データベースＤＢに格納されていないような場合には、その機器１１に対応する操作信号を新たに作成して送信するように設定することも可能である。
【００３３】
次に、上記構成のリモコン１０による処理の流れについて説明する。
即ち、図５に示すように、リモコン１０の制御ユニット３０は、ユーザにより音声が入力されると、その音声を認識する（Ｓ１０１）。そして、制御ユニット３０は、その認識した１つの音声に基づいて、ユーザの生活シーンを推定する（Ｓ１０２）。制御ユニット３０は、生活シーンを推定すると、その推定した生活シーンに応じた機器１１を選択する（Ｓ１０３）。そして、制御ユニット３０は、その選択した機器１１に対応する操作信号を生成する（Ｓ１０４）。制御ユニット３０は、選択した各機器１１にそれぞれ対応する操作信号を生成すると、それら生成した操作信号を各機器１１にそれぞれ送信する（Ｓ１０５）。そして、リモコン１０から操作信号を受信した各機器１１は、それぞれ受信した操作信号に基づいて動作する。
【００３４】
次に、上記構成のリモコン１０による各機器１１の動作の一例について説明する。
図６に示すように、例えば、ユーザが「おはよう」という音声を発すると、リモコン１０は、生活シーンとして「起床」を推定し、その「起床」シーンに対応する機器１１としてエアコン１１１、テレビ１１２、照明機器１１３を選択し、これら選択した各機器１１にそれぞれ操作信号を送信する。そして、操作信号を受信した各機器１１は、それぞれ受信した操作信号に基づいて動作する。この場合、エアコン１１１、テレビ１１２、照明機器１１３は、何れもオンされる。
【００３５】
また、図７に示すように、ユーザが「おやすみ」という音声を発すると、リモコン１０は、生活シーンとして「就寝」を推定し、その「就寝」シーンに対応する機器１１としてエアコン１１１、テレビ１１２、照明機器１１３を選択し、これら選択した各機器１１にそれぞれ操作信号を送信する。そして、操作信号を受信した各機器１１は、それぞれ受信した操作信号に基づいて動作する。この場合、エアコン１１１、テレビ１１２、照明機器１１３は、何れもオフされる。なお、動作指令データベースＤＢに予め動作内容を個別に設定しておくことにより、例えば、エアコン１１１は、切タイマーをオンしたり、或いは、入タイマーをオンしたりすることができる。また、照明機器１１３は、暗照明をオンしたり、或いは、常夜灯をオンしたりすることができる。
【００３６】
また、図８に示すように、ユーザが「省エネ」という音声を発すると、リモコン１０は、生活シーンとして「日中に在宅」を推定し、その「日中に在宅」シーンに対応する機器１１としてリモコン１０と通信可能な全ての機器１１を選択し、これら選択した全ての機器１１にそれぞれ操作信号を送信する。そして、操作信号を受信した各機器１１は、それぞれ受信した操作信号に基づいて動作する。この場合、各機器１１は、全て省エネモードで駆動する。
【００３７】
なお、リモコン１０は、各機器１１に送信する複数の操作信号を、同時に送信してもよいし、異なるタイミングに送信してもよい。そして、複数の操作信号を異なるタイミングで送信する場合、リモコン１０は、それら複数の操作信号を連続的に送信してもよいし、所定の間隔をあけて間欠的に送信してもよい。
また、リモコン１０は、機器１１の専用のリモコンではなく、例えば携帯電話機及びスマートフォンなどの携帯情報端末などであってもよい。この場合、例えばネットワークから携帯電話機及びスマートフォンをリモコン１０として機能させるアプリケーションを入手する構成としてもよい。また、リモコン１０は、パーソナルコンピュータなどのマルチメディアリモコンと共用してもよい。
【００３８】
以上に説明した本実施形態に係る遠隔操作装置は、音声認識手段と、操作信号送信手段と、を備える。音声認識手段は、音声を認識する。操作信号送信手段は、音声認識手段により認識された１つの音声に基づいて、複数の機器にそれぞれ操作信号を送信する。この構成によれば、認識された１つの音声に基づいて複数の機器を操作することができる。
また、本実施形態に係る遠隔操作装置は、認識した１つの音声に基づいてユーザの生活シーンを推定し、その推定した生活シーンに応じた機器を選択し、それら選択した機器にそれぞれ操作信号を送信する。これにより、ユーザは、１つの音声を発するという簡単な操作で、生活シーンに応じた複数の機器を選択して操作することができる。
また、本実施形態に係る遠隔操作装置は、各機器に対し、それぞれ周波数が異なる操作信号を送信する。これにより、複数の機器にそれぞれ操作信号を送信したとしても相互に干渉することがなく、従って、各機器を正確に操作することができる。
【００３９】
また、本実施形態に係る遠隔操作装置は、各機器に対し、それぞれ異なる動作をするための操作信号を送信することが可能である。これにより、各ユーザの生活スタイルに合わせた各機器の操作が可能となる。
また、本実施形態に係る遠隔操作装置は、認識した１つの音声が省エネルギー運転を示す音声である場合には、各機器に対し、それぞれ省エネルギー運転に移行するための操作信号を送信する。これにより、各機器を一括して省エネルギーモードに移行させることができ、各機器を別個に操作しなくとも、ユーザは、省エネルギーに関する１つの音声を発するという簡単な操作で、省エネルギー化を図ることができる。
なお、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００４０】
図面中、１０はリモコン（遠隔操作装置）、１１１はエアコン（機器）、１１２はテレビ（機器）、１１３は照明機器（機器）、１１４は自動掃除ロボット（機器）、６１は音声認識部（音声認識手段）、６２は生活シーン推定処理部（生活シーン推定手段）、６３は機器選択処理部（機器選択手段）、６４は操作信号送信処理部（操作信号送信手段）を示す。
【図１】
2014045258.tif 000003
【図２】
2014045258.tif 000004
【図３】
2014045258.tif 000005
【図４】
2014045258.tif 000006
【図５】
2014045258.tif 000007
【図６】
2014045258.tif 000008
【図７】
2014045258.tif 000009
【図８】
2014045258.tif 000010